(57)【要約】【課題】外科用ポータル装置を提供すること。【解決手段】外科用ポータル装置であって、該装置は、ポータル筐体と、ポータル筐体に接続され、そして、そこから垂下している細長いポータル部材であって、該ポータル部材は、中心長手方向軸を画定している、細長いポータル部材と、弾力的な材料を含み、そして、ポータル筐体に据え付けられたシール部材であって、シール部材は、先行面と後続面とを含み、そして、外科用物体の通過を可能にするための通路を画定している内側部分を有し、先行面と後続面とのうちの一方が、相互接続されたストラットの中に形成された複数の窪んだセルを画定し、該相互接続されたストラットは、物体の、半径方向に中心を外れた操作の際に、通路の対応する動きを可能にしながら、外科用物体の周りのシールを実質的に維持するように曲がるように比較的に可撓性がある、シール部材とを備えている、外科用ポータル装置。【選択図】図１
2010005389.tif 000002
【特許請求の範囲】
【請求項１】
外科用ポータル装置であって、該装置は、
ポータル筐体と、
該ポータル筐体に接続され、そして、そこから垂下している細長いポータル部材であって、該ポータル部材は、中心長手方向軸を画定し、該ポータル筐体と該ポータル部材とは、外科用物体の受け入れと通過とのための軸方向穴を有する、細長いポータル部材と、
弾力的な材料を含み、そして、該ポータル筐体に据え付けられたシール部材であって、該シール部材は、先行面と後続面とを含み、そして、該外科用物体の通過を可能にするための通路を画定している内側部分を有し、該先行面と該後続面とのうちの一方が、相互接続されたストラットの中に形成された複数の窪んだセルを画定し、該相互接続されたストラットは、該物体の、半径方向に中心を外れた操作の際に、該通路の対応する動きを可能にしながら、該外科用物体の周りのシールを実質的に維持するように曲がるように比較的に可撓性がある、シール部材と
を備えている、外科用ポータル装置。
【請求項２】
前記窪んだセルのうちの少なくとも一部が、概ね長方形の構成を画定している、請求項１に記載の外科用ポータル装置。
【請求項３】
前記シール部材の前記先行端面は、前記窪んだセルを有する、請求項１に記載の外科用ポータル装置。
【請求項４】
前記シール部材の前記後続端面は、前記通路を通る前記外科用物体の受け入れと通過とを容易にするように該通路に外接するシール窪みを画定している、請求項３に記載の外科用ポータル装置。
【請求項５】
前記シール窪みは、概ね環状である、請求項４に記載の外科用ポータル装置。
【請求項６】
前記シール部材は、前記後続端面から垂下している環状シールカラーを含む、請求項３に記載の外科用ポータル装置。
【請求項７】
前記環状シールカラーは、内側壁面を含み、該壁面は、前記シール部材の中への前記外科用物体の導入の間の、前記通路と該外科用物体との整列を容易にするように先細にされている、請求項６に記載の外科用ポータル装置。
【請求項８】
前記後続端面は、前記シール部材を通過する間の、前記通路と前記外科用物体との整列を容易にするように該通路に外接する内側先細壁を含む、請求項６に記載の外科用ポータル装置。
【請求項９】
前記シール部材は、その中を通るアパーチャを画定し、該アパーチャは、前記通路である、請求項１に記載の外科用ポータル装置。
【請求項１０】
前記シール部材は、ゲル材料を含む、請求項１に記載の外科用ポータル装置。
【請求項１１】
前記外科用物体の不在の際に、前記軸方向穴を実質的に閉鎖するように適合されたゼロ閉鎖シールを含む、請求項１に記載の外科用ポータル装置。
【発明の詳細な説明】
【技術分野】
【０００１】
（関連出願の引用）
本出願は、２００８年６月２５日出願の米国仮特許出願第６１／０７５，５３３号の利益と優先権とを主張し、該仮特許出願の全内容が、本明細書において参考として援用される。
【０００２】
（技術分野）
本開示は、医療処置と関連する外科用物体の導入を可能にするために、下にある体の組織にアクセスするための外科用ポータルに関する。さらに詳細には、本開示は、シールを含む外科用ポータルに関し、該シールは、曲がって、外科用物体の、中心を外れた操作を容易にすると同時に、外科用物体とのシーリング関係を実質的に維持するように適合された焼き網模様またはワッフル模様を画定している。
【背景技術】
【０００３】
外科用ポータルは、腹腔鏡処置または内視鏡処置を含む様々な低侵襲性の処置において利用されている。かかるポータルは、トロカールカニューレ、カテーテル、または手で支援する低侵襲性の処置の場合には、手でアクセスするデバイスを含む。外科用ポータルは、一般的には、ポータルを通過する器具または手の周りに流体密シールを形成するためのシールメカニズムを組み込む。しかしながら、シールメカニズムは、器具、特に、より小さな直径の器具が、ポータルの中心軸に対して軸を外れて動かされたときには、シールを持続する能力を制限される場合が多い。さらに、シールメカニズムはまた、外科用器具が角度を付けられたときには、完全性を持続する能力を制限される。ポータルの中でのより小さな直径の外科用器具のかかる極端な範囲の動きは、器具の周りに「猫の眼」形状の空隙または三日月形状の空隙を作り出し、流体の損失（例えば、吹送ガスの損失）をもたらし得る。
【発明の概要】
【課題を解決するための手段】
【０００４】
したがって、本開示は、外科用ポータル装置に関する。外科用ポータル装置は、ポータル筐体と、ポータル筐体に接続され、そして、そこから垂下している細長いポータル部材と、シール部材とを含み、該シール部材は、弾力的な材料を含み、そして、ポータル筐体に据え付けられている。ポータル筐体とポータル部材とは、外科用物体の受け入れと通過とのための軸方向穴を有する。シール部材は、先行面と後続面とを含み、そして、外科用物体の通過を可能にするための通路を画定する内側部分を有する。先行面と後続面とのうちの一方が、相互接続されたストラットの中に形成された複数の窪んだセルを画定している。相互接続されたストラットは、物体の、半径方向に中心を外れた操作の際に、該通路の対応する動きを可能にしながら、外科用物体の周りのシールを実質的に維持するように曲がるために比較的に可撓性がある。窪んだセルのうちの少なくとも一部が、概ね長方形の構成を画定している。好適には、シール部材の先行端面が、窪んだセルを有する。
【０００５】
シール部材の後続端面は、通路を通る外科用物体の受け入れと通過とを容易にするように通路に外接するシール窪みを画定し得る。シール窪みは、概ね環状であり得る。シール部材は、後続端面から垂下している環状シールカラーを含み得る。環状シールカラーは、内側壁面を含み、該内側壁面は、シール部材の中への外科用物体の導入の間の、通路と外科用物体との整列を容易にするように先細にされ得る。後続端面は、シール部材を通過する間の、通路と外科用物体との整列を容易にするように通路に外接する内側先細壁を含み得る。
【０００６】
シール部材は、その中を通るアパーチャを通路として画定し得る。シール部材は、ゲル材料を含み得る。ゼロ閉鎖シールが、外科用物体の不在の際に、軸方向穴を実質的に閉鎖するようにポータル筐体の中に配置され得る。
【０００７】
他の実施形態がまた、想定される。
【０００８】
したがって、本発明は、以下を提供する。
【０００９】
（項目１）  
外科用ポータル装置であって、該装置は、
ポータル筐体と、
該ポータル筐体に接続され、そして、そこから垂下している細長いポータル部材であって、該ポータル部材は、中心長手方向軸を画定し、該ポータル筐体と該ポータル部材とは、外科用物体の受け入れと通過とのための軸方向穴を有する、細長いポータル部材と、
弾力的な材料を含み、そして、該ポータル筐体に据え付けられたシール部材であって、該シール部材は、先行面と後続面とを含み、そして、該外科用物体の通過を可能にするための通路を画定している内側部分を有し、該先行面と該後続面とのうちの一方が、相互接続されたストラットの中に形成された複数の窪んだセルを画定し、該相互接続されたストラットは、該物体の、半径方向に中心を外れた操作の際に、該通路の対応する動きを可能にしながら、該外科用物体の周りのシールを実質的に維持するように曲がるように比較的に可撓性がある、シール部材と
を備えている、外科用ポータル装置。
【００１０】
（項目２）  
上記窪んだセルのうちの少なくとも一部が、概ね長方形の構成を画定している、上記項目のうちのいずれか１項に記載の外科用ポータル装置。
【００１１】
（項目３）  
上記シール部材の上記先行端面は、上記窪んだセルを有する、上記項目のうちのいずれか１項に記載の外科用ポータル装置。
【００１２】
（項目４）  
上記シール部材の上記後続端面は、上記通路を通る上記外科用物体の受け入れと通過とを容易にするように該通路に外接するシール窪みを画定している、上記項目のうちのいずれか１項に記載の外科用ポータル装置。
【００１３】
（項目５）  
上記シール窪みは、概ね環状である、上記項目のうちのいずれか１項に記載の外科用ポータル装置。
【００１４】
（項目６）  
上記シール部材は、上記後続端面から垂下している環状シールカラーを含む、上記項目のうちのいずれか１項に記載の外科用ポータル装置。
【００１５】
（項目７）  
上記環状シールカラーは、内側壁面を含み、該壁面は、上記シール部材の中への上記外科用物体の導入の間の、上記通路と該外科用物体との整列を容易にするように先細にされている、上記項目のうちのいずれか１項に記載の外科用ポータル装置。
【００１６】
（項目８）  
上記後続端面は、上記シール部材を通過する間の、上記通路と上記外科用物体との整列を容易にするように該通路に外接する内側先細壁を含む、上記項目のうちのいずれか１項に記載の外科用ポータル装置。
【００１７】
（項目９）  
上記シール部材は、その中を通るアパーチャを画定し、該アパーチャは、上記通路である、上記項目のうちのいずれか１項に記載の外科用ポータル装置。
【００１８】
（項目１０）  
上記シール部材は、ゲル材料を含む、上記項目のうちのいずれか１項に記載の外科用ポータル装置。
【００１９】
（項目１１）  
上記外科用物体の不在の際に、上記軸方向穴を実質的に閉鎖するように適合されたゼロ閉鎖シールを含む、上記項目のうちのいずれか１項に記載の外科用ポータル装置。
【００２０】
（摘要）
外科用ポータル装置は、ポータル筐体と、ポータル筐体に接続され、そして、そこから垂下している細長いポータル部材と、シール部材とを含み、該シール部材は、弾力的な材料を含み、そして、ポータル筐体に据え付けられている。ポータル筐体とポータル部材とは、外科用物体の受け入れと通過とのための軸方向穴を有する。シール部材は、先行面と後続面とを含み、そして、外科用物体の通過を可能にするための通路を画定する内側部分を有する。先行面と後続面とのうちの一方が、相互接続されたストラットの中に形成された複数の窪んだセルを画定している。相互接続されたストラットは、物体の、半径方向に中心を外れた操作の際に、該通路の対応する動きを可能にしながら、外科用物体の周りのシールを実質的に維持するように曲がるために比較的に可撓性がある。窪んだセルのうちの少なくとも一部が、概ね長方形の構成を画定している。好適には、シール部材の先行端面が、窪んだセルを有する。
【図面の簡単な説明】
【００２１】
本開示の好適な実施形態が、図面を参照してより良く理解される。
【図１】図１は、シールアセンブリと外科用ポータルアセンブリとを例示している、本開示の原理に従った外科用ポータル装置の、部品が分離された斜視図である。
【図２】図２は、シールアセンブリと、外科用ポータルアセンブリのポータル筐体との横断面図である。
【図３】図３は、外科用ポータル装置のシールアセンブリの、部品が分離された斜視図である。
【図４】図４および図５は、シールアセンブリのシール部材の前面および後面の斜視図である。
【図５】図４および図５は、シールアセンブリのシール部材の前方斜視図および後面斜視図である。
【図６】図６および図７は、シールアセンブリのシール部材の前方正面図および後方正面図である。
【図７】図６および図７は、シールアセンブリのシール部材の前方正面図および後方正面図である。
【図８】図８はシール部材の横正面図である。
【図９】図９および図１０は、シールアセンブリのシール部材の代替の実施形態の前方斜視図および後方斜視図である。
【図１０】図９および図１０は、シールアセンブリのシール部材の代替の実施形態の前方斜視図および後方斜視図である。
【発明を実施するための形態】
【００２２】
本開示のポータル装置は、低侵襲性の外科処置の間に、例えば、約４．５ミリメートル（ｍｍ）〜約１５ミリメートル（ｍｍ）の器具を含む様々な直径の物体を収容することができる。さらに、ポータル装置は、様々なタイプの外科用物体または様々なタイプの外科用機器の導入および操作を企図し、該様々なタイプの外科用物体または該様々なタイプの外科用機器は、トロカールおよび／またはカニューレアセンブリを通って挿入され、一方で、外科処置の雰囲気の完全性を保存するために、確立された空気圧腹膜からのガスおよび／または流体の漏れを防ぐように器具の周りに流体密なインタフェースを維持するように適合されている。詳細には、ポータル装置は、シールアセンブリを含み、該シールアセンブリは、外科用器具の横方向の操作および／または角度のある操作を容易にしながら、器具の周りのシールを維持する。
【００２３】
ポータル装置と使用するために企図された機器の例は、クリップアプライヤ、把持器、解剖器具、開創器、ステープラ、レーザプローブ、写真デバイス、内視鏡および腹腔鏡、チューブ、閉塞具などを含む。かかる器具は、本明細書において、集合的に、「器具または機器」と呼ばれる。
【００２４】
以下の考察においては、用語「近位」または「後続」は、操作の間に臨床医に最も近い、ポータル装置の部分を指し、用語「遠位」または「先行」は、臨床医に最も遠い、ポータル装置の部分を指す。
【００２５】
ここで、同様な参照番号は、いくつかの図を通して同一な部分または実質的に同様な部分を識別する図面を参照すると、図１は、本開示のポータル装置１００を開示する。ポータル装置１００は、ポータルアセンブリ２００とシールアセンブリ３００とを含む。シールアセンブリ３００は、ポータルアセンブリ２００の一体のコンポーネントであり得るか、または代替案においては、企図される様々な手段によってポータルアセンブリに解放可能に接続可能であり得る。シール３００は、以下でさらに詳細に考察される。ポータルアセンブリ２００は、体腔にアクセスするという意図した目的に適した任意の部材であり得、一般的には、通路を画定し、該通路は、そこを通る器具または臨床医の手の導入を可能にする。ポータルアセンブリ２００は、特に、腹膜腔が、その中の内臓から腹膜壁を持ち上げるために適切なガス、例えばＣＯ２で吹送される腹腔鏡手術における使用に適合されている。ポータルアセンブリ２００は、一般的には、閉塞具アセンブリ４００と共に使用され、該閉塞具アセンブリ４００は、ポータル装置１００の通路の中に位置決め可能な、ブレードのない鈍い器具、または鋭い先端の器具であり得る。閉塞具アセンブリ４００は、腹壁を通ってポータル装置１００を導入するために腹壁を貫通し、そして、次に、通路を通る、処置を行うために利用される外科用機器の導入を可能にするために、ポータルアセンブリ２００から取り外される。適切な閉塞具アセンブリ４００の例が、同一人に譲渡された米国特許第６，４９７，７１６号（Ｇｒｅｅｎら）に開示され、該米国特許は、その全体が本明細書において参考として援用される。
【００２６】
ポータルアセンブリ２００は、ポータル筐体２０２と、ポータル部材２０４とを含み、該ポータル部材２０４は、ポータル筐体２０２に接続され、そして、そこから延びている。ポータル部材２０４は、ポータル部材２０４の長さに沿って延びている長手方向軸「ｋ」を画定する。ポータル筐体２０２とポータル部材２０４とはさらに、外科用機器の通過を可能にする寸法の内側長手方向通路２０６を画定する。ポータル部材２０４は、ステンレス鋼、または他の堅い材料などの任意の適切な医療グレードの材料から形成され得、該他の堅い材料は、ポリカーボネートなどのポリマー材料を含む。ポータル部材２０４は、透明または不透明であり得る。ポータル部材２０４の直径は、変動し得るが、一般的には、約４．５ミリメートル（ｍｍ）〜約１５ミリメートル（ｍｍ）の範囲である。ポータル筐体２０２とポータル部材２０４とは、互いにしっかりと接続された別個のコンポーネントであり得るか、または、代替案においては、一体となって形成される単一の構成単位であり得る。
【００２７】
ここで、図１〜図２を参照すると、ポータル筐体２０２は、概ね円形の断面を画定し、そして、直径方向に対向する脚部分２０８を有する。例えば、ゴムなどの弾力的な材料から製造されたゼロ閉鎖シール２１０が、ポータル筐体２０２の内部に位置決めされている。シール２１０は、円周フランジ部分２１０ａを含み、該円周フランジ部分２１０ａは、筐体２０２の中の、対応するように寸法を合わされた円周レッジ２１２に載る。シール２１０は、概して、２つの平坦な先細部分２１６を有するダックビル形状を画定し、該２つの平坦な先細部分２１６は、スリット２１８を画定するようにそれらの遠位端において交差する。スリット２１８は、シール２１０を通る細長い物体の通過を可能にするが、器具のない場合、特に、ポータル部材２０４が、吹送された体腔の中に位置決めされたときに、スリット２１８が閉じて、長手方向通路２０６をシールする。シール２１０はまた、シールを安定させるために、少なくとも１つ補強リブ２２０を含み、好適には、２つの補強リブ２２０を含む。リブ２２０は、スリット２１８を通って器具を誘導し、そして、器具の先端によるシール２１０の穿刺を防ぐように器具を係合するように位置決めされている。
【００２８】
ポータルアセンブリ２００はまた、安定化プレート２２０を含み、該安定化プレート２２０は、細長い器具の導入と引き抜きとの間に、シール２１０に対する支持を提供するようにシール２０８のフランジ部分２１０ａに押し付けて位置決めされている。安定化プレート２２０は、直径方向に対向する２つの延長部２２２（図１）を含み、該直径方向に対向する２つの延長部２２２は、対応する寸法の、ポータル筐体２０２の脚部分２０８の中に受け入れられる。好適な実施形態において、安定化プレート２２０は、スポット溶接、接着剤などによって、それぞれのコンポーネントの延長部に沿った接触点においてポータル筐体２０２にしっかりと取り付けられる。
【００２９】
停止コック弁２２６が、ポータル部材２０４を通って、体腔の中に吹送ガスを通過させることを可能にするためにポータル筐体２０２の一部分として組み込まれ得る。この目的のための適切な弁は、ｔｈｅ  Ｂｕｒｒｏｎ  ＯＥＭ  Ｄｉｖｉｓｉｏｎ  ｏｆ  Ｂ．Ｂｒａｕｎ  Ｍｅｄｉｃａｌ，Ｉｎｃ．（Ｍｏｄｅｌ  Ｎｏ．５５４０１０２２）から入手可能である。
【００３０】
ここで、図２と共に図３を参照すると、外科用ポータル装置１００のシールアセンブリ３００が、詳細に記述されている。シールアセンブリ３００は、端キャップ３０２と、安定器プレート３０４と、シール部材３０６と、シール筐体３０８とを含む。端キャップ３０２と、安定器プレート３０４と、シール筐体３０８とが、シールアセンブリ３００の外側シール本体を形成し、該シールアセンブリ３００の外側筐体は、シーリングコンポーネント、すなわち、シール部材３０６を収容する。
【００３１】
端キャップ３０２は、概して、円筒形状であり、そして、近位端部分３０２ａを含み、該近位端部分３０２ａは、端キャップ３０２の残りの部分の直径よりも小さい直径と、安定器プレート３０４を支持する内側周囲レッジ３１０とを画定する。安定器プレート３０４は、アパーチャ３１２を画定し、シール部材３０６を支持し、そして、端キャップ３０２とシール筐体３０８との間にシール部材３０６を保持することを補助する。シール筐体３０８は、中央開口部３１２を含み、そして、内側環状リブ３１４を画定する。シール筐体３０８は、組み立てられた状態のときには、シーリングコンポーネントを封入するように端キャップ３０２を受け入れる。シール筐体３０８の遠位端面は、対向する２つのリブ部分３１６を含み、該対向する２つのリブ部分３１６は、半径方向内側に延びている。リブ部分３１６は、以下で提供される記述から理解されるように、シールアセンブリ３００をポータルアセンブリ２００に据え付けることを補助する。
【００３２】
ここで、図２〜図３と共に図４〜図８を参照すると、シール部材３０６が、詳細に記述されている。シール部材３０６は、任意の従来の手段によってシール筐体３０８の中に据え付けられる。例えば、シール部材３０６は、端キャップ３０２の中に固定され得、そして、内側周囲レッジ３１０と、シール筐体３０８の内側環状リブ３１４とに間に固定される。シール部材３０６は、シール部材全体の長手方向の運動または半径方向の運動を防ぐようにシール筐体３０８の中に固定され、すなわち、端キャップ３０２およびシール筐体３０８と固定された関係で固定される。
【００３３】
シール部材３０６は、概して、ディスク形状であり、そして、先行（遠位）端面３１８と後続（近位）端面３２０とを画定している。後続端面３２０は、シール軸「ｍ」の周りに概ね同軸に配置された環状窪み３２２を含む。環状窪み３２２は、中央シールアパーチャまたは中央シール通路３２４と連絡している。環状窪み３２２は、外科用物体の導入の間にシールアパーチャ３２４に外科用物体を受け入れるように、および／または誘導するように適合され得る。
【００３４】
シールアパーチャ３２４は、シール部材３００の先行端面３１８と後続端面３２０とを通って延びている。シールアパーチャ３２４は、内側シール部分３２６（図２）の中に画定され、そして、物体の挿入の際に拡張するように適合され、それにより、シールアパーチャ３２４を画定している内側シール部分３２６が、外科用物体の周りに流体密シールを確立する。円形の構成で示されているが、シールアパーチャ３２４は、長方形を含む構成を取り得、そして、スリットの形態でもあり得る。
【００３５】
先行端面３１８は、相互接続された複数のストラット３２８を有する焼き網構造またはワッフル構造を画定し、該相互接続された複数のストラットは、それらの間に窪み３３０を有する。ストラット３２８は、好適には、少なくとも中央シールアパーチャ３２４に隣接して長方形または正方形の窪み３３０を画定するように垂直な配列で延びている。シール部材３０６の外周に隣接する窪み３３０は、シール部材の円囲によって提供されるような弓形の外側を含み得る。
【００３６】
ストラット３２８は、格子構造を画定し、該格子構造は、外科用物体の、中心を外れた操作または角度のある操作の間に曲り、そして、物体を取り外すと元々の構成に戻ることができる。さらに、格子またはワッフルの幾何形状は、外科用物体の、中心を外れた操作によってもたらされる「猫の目」形状の形成を防ぐことを補助する。特に、窪み３３０の補助を伴うストラット３２８は、シールアパーチャ３２６が、器具の、中心を外れた動きに従うことを可能にするように曲がることができる。
【００３７】
シール部材３０６は、吹送された体腔によって提供される１２ｍｍＨｇの最小圧をシールし、そして、シール部材を通って挿入される器具との摩擦力を非常に少なくするために、直径が４．５ｍｍ〜約１２．５ｍｍの範囲の器具を収容し得る。シール部材３０６は、適切な熱可塑性エラストマーから製造され得る。代替案において、シール部材３０６は、硬度の低い熱可塑性エラストマー材料またはゲル材料から製造され得る。他の材料がまた想定される。
【００３８】
ここで、シールアセンブリ３００の組み立てが、考察される。安定器プレート３０４は、プレート３０４が、端キャップ３０２の中に画定された内側周囲リッジ３１０に載るように端キャップ３０２の中に位置決めされる。次に、シール部材３０６は、安定器プレート３０４の上に位置決めされる。シール筐体３０８は、構成単位全体を覆って位置決めされ、シール筐体３０８は、端キャップ３０２の遠位部分を受け入れる。この組み立てられた状態において、シール部材３０６は、端キャップ３０２の内側周囲レッジ３１０と、シール筐体３０８の環状リブ３１４との間に閉じ込められる。
【００３９】
今や完全に組み立てられた状態のシールアセンブリ３００が、ポータルアセンブリ２００に据え付けられ得る。図１〜図３を参照すると、組み立てられたシールアセンブリ２００が、安定化プレート２２０に隣接して取り外し可能に据え付けられ、安定化プレート２２０の部分的に環状のスレッド２２８（図２）が、シール筐体３０８に画定された周囲溝３２２の中に受け入れられる。シールアセンブリ３００は、部分的に環状のスレッド２２８と半径方向内側に突出するリブ部分３１６との係合がカニューレ筐体２０２にシールアセンブリ３００を解放可能に係止させるように回転させられる。シールアセンブリ２００をカニューレ筐体２０２に取り外し可能に接続するための他の手段、例えば、ねじ山、接着剤、差し込みピン係止などが、当業者によって容易に決定され得る。
【００４０】
図９〜図１０は、シール部材５００の代替の実施形態を例示する。この実施形態に従って、シール部材５００は、先行端面５０２と後続端面５０４とを含む。後続端面または近位端面５０４は、そこから垂下する環状壁５０６を含む。環状壁５０６は、シールアパーチャ５１０に向かって外科用物体を誘導するように外科用物体を受け入れるための拡大されたアパーチャを画定している。環状壁５０６はまた、シール軸「ｍ」に向かって外科用物体を誘導することを補助するために、内側先細壁面５１２を含み得る。後続端面５０４はさらに、アパーチャに向かって外科用物体を誘導するためにシールアパーチャ５１０に外接している先細壁面５１４を画定している。
【００４１】
シール部材５００の先行端面５０２は、直角をなす複数のストラット５１６によって交差する関係で画定された焼き網構成またはワッフル構成を含む。隣接する平行なストラット５１６は、比較的に拡大された長方形の窪み５１８を画定するために、先の実施形態を上回る距離を離される。この配置は、外科用物体の、中心を外れた操作をさらに補助するか、または可能にするために、図１〜図８の実施形態を上回る可撓性を提供し得る。
【００４２】
本開示の例示的な実施形態が、添付の図面を参照して本明細書に記述されてきたが、開示は、それらの正確な実施形態に限定されないということと、様々な他の変更および様々な他の改変が、本開示の範囲または精神を逸脱することなく、当業者によってもたらされ得るということとが、理解されるべきである。
【符号の説明】
【００４３】
１００  ポータル装置
２００  ポータルアセンブリ
２０２  ポータル筐体
２０４  ポータル部材
２０６  内側長手方向通路
２０８  脚部分
２１０  ゼロ閉鎖シール
２１０ａ  円周フランジ部分
２１２  円周レッジ
２１６  平坦な先細部分
２１８  スリット
３００  シールアセンブリ
４００  閉塞具アセンブリ
【図１】
2010005389.tif 000003
【図２】
2010005389.tif 000004
【図３】
2010005389.tif 000005
【図４】
2010005389.tif 000006
【図５】
2010005389.tif 000007
【図６】
2010005389.tif 000008
【図７】
2010005389.tif 000009
【図８】
2010005389.tif 000010
【図９】
2010005389.tif 000011
【図１０】
2010005389.tif 000012